(57)【要約】【課題】ユーザの１操作で、電子会議システムを構成するディスプレイ、アクセスポイント及びコンピュータの各電源の制御を連動させることができる電子会議システムを提供する。【解決手段】電子会議システム１００は、サーバコンピュータの画像を拡大表示すると共に、その画像を無線クライアント機器に送信するシステムであって、電源スイッチ５を有するプロジェクタ１と、ＰＣ２と、基幹ＬＡＮ１０に接続するＡＰ３とを備える。プロジェクタ１にメイン電源が供給されていないときに、ユーザによりプロジェクタ１の電源スイッチ５が押下されたとき、プロジェクタ１、ＡＰ３、ＰＣ２の順に連動して電源の起動を行い、この起動の後、ユーザによりプロジェクタ１の電源スイッチ５が押下されたとき、ＡＰ３、ＰＣ２、プロジェクタ１の順に連動して電源の遮断を行う。【選択図】      図２
2004282475.tif 000002
【特許請求の範囲】
【請求項１】
アクセスポイントにネットワークを介して接続するコンピュータと、電源のオン・オフを押下により切り替える電源スイッチ、当該電源スイッチの押下を検出するスイッチ押下検出手段、及び前記コンピュータのビデオ信号を表示する表示手段を備えるディスプレイとからなる電子会議システムにおいて、
前記ディスプレイは、
前記電源スイッチの押下を検出したときに、前記アクセスポイントに接続し、当該接続したアクセスポイントに第１の起動指示を送付する第１起動指示送付手段とを備え、
前記アクセスポイントは、
前記第１の起動指示を受信したときに、前記ネットワークを介して前記コンピュータに接続し、当該接続したコンピュータに第２の起動指示を送付する第２起動指示送付手段を備えることを特徴とする電子会議システム。
【発明の詳細な説明】
【０００１】
【発明の属する技術分野】
本発明は、電子会議システムに関し、特に、ディスプレイ、アクセスポイント、及びパーソナルコンピュータから構成されると共に、これら機器の電源の制御が行われる電子会議システムに関する。
【０００２】
【従来の技術】
近年、フロントプロジェクタ、リアプロジェクタ、プラズマディスプレイなどの大画面ディスプレイを中心に置き、サーバコンピュータの画像を各クライアント機器で共有する電子会議システムなどが考案されている。このようなシステムでは、前記大画面ディスプレイの他に、このディスプレイに接続されたパーソナルコンピュータ（以下「ＰＣ」という。）と、該ＰＣ、サーバコンピュータ、及びクライアント機器の仲立ちを行うアクセスポイント（以下「ＡＰ」という。）とから構成されるのが通常である。
【０００３】
また、ＰＣの電源のリモート投入方法として、Ｗａｋｅ  ｏｎ  ＬＡＮという技術が考案されている。この技術は、ＰＣのメイン電源がオフ状態（但し、ＡＣ電源は供給されているものとする。）であっても、ＰＣ内部のＬＡＮコントローラに対してはスタンバイ電源を供給して、ＬＡＮコントローラによりＬＡＮ回線にて送信される特定の起動指示パケットのスキャンを行い、ＬＡＮコントローラがこの起動指示パケットを受信すると、ＰＣのメイン電源を投入するものである（例えば、特許文献１〜４参照）。
【０００４】
【特許文献１】
特開平１１−３４５０４３号公報
【特許文献２】
特開２０００−９９４１４号公報
【特許文献３】
特開２００１−２１６１１８号公報
【特許文献４】
特開２００１−２１６１１９号公報
【０００５】
【発明が解決しようとする課題】
しかしながら、上述のように手動等により直接電源を投入する必要がないＷａｋｅ  ｏｎ  ＬＡＮの技術を用いる場合であっても、ＰＣのメイン電源を投入するのに必要な上記特定の起動指示パケットをＡＰ経由でＰＣに送信するには、まずＡＰの電源を投入しなくてはならず、実質的にはＡＰとＰＣの電源は別々に投入しており、操作が煩雑であった。さらに、上記Ｗａｋｅ  ｏｎ  ＬＡＮを用いてＰＣのメイン電源をリモートで投入するためには、上記特定の起動指示パケットを送信する別のＰＣが必要になってシステムの肥大化を招いていた。
【０００６】
また、電源スイッチがなく、ＡＣ電源を供給するだけで動作を開始するＡＰも存在するが、それでもディスプレイ、ＰＣの電源は夫々別々に投入する必要があった。
【０００７】
さらに、大画面ディスプレイがリアプロジェクタなどの大きな筐体を有する場合、ＰＣ、ＡＰがその筐体内部に配置されることも多く、ＰＣやＡＰの電源を手動等で直接投入するのは困難な場合があった。
【０００８】
本発明の目的は、ユーザの１操作で、電子会議システムを構成するディスプレイ、アクセスポイント及びコンピュータの各電源の制御を連動させることができる電子会議システムを提供することにある。
【０００９】
【課題を解決するための手段】
上記目的を達成するために、請求項１の電子会議システムは、アクセスポイントにネットワークを介して接続するコンピュータと、電源のオン・オフを押下により切り替える電源スイッチ、当該電源スイッチの押下を検出するスイッチ押下検出手段及び前記コンピュータのビデオ信号を表示する表示手段を備えるディスプレイとからなる電子会議システムにおいて、前記ディスプレイは、前記電源スイッチの押下を検出したときに、前記アクセスポイントに接続し、当該接続したアクセスポイントに第１の起動指示を送付する第１起動指示送付手段とを備え、前記アクセスポイントは、前記第１の起動指示を受信したときに、前記ネットワークを介して前記コンピュータに接続し、当該接続したコンピュータに第２の起動指示を送付する第２起動指示送付手段を備えることを特徴とする。
【００１０】
【発明の実施の形態】
以下、本発明の実施の形態に係る電子会議システムを図面を用いて詳説する。
【００１１】
図１は、本発明を実施の形態に係る電子会議システムの外観斜視図である。
【００１２】
図１において、電子会議システム１００は、プロジェクタ１（ディスプレイ）と、パーソナルコンピュータ（以下「ＰＣ」という。）２と、基幹ＬＡＮ１０（図２参照）、ＰＣ２および無線クライアント機器（不図示）に接続するアクセスポイント（以下「ＡＰ」という。）３とを備え、ＰＣ２の画像を表示すると共に、ＡＰ３の仲介で無線クライアント機器の操作によるＰＣ２の制御を可能にしたシステムである。
【００１３】
ＡＰ３は、クライアント機器とは無線接続、ＰＣ２および基幹ＬＡＮ１０とは有線接続をして、それぞれの間のデータ転送を司る。
【００１４】
ＰＣ２は、ＡＰ３経由で無線クライアント機器の操作を受け、やはりＡＰ３経由で基幹ＬＡＮ１０に接続されたサーバコンピュータ（不図示）とファイルタの送受信を行ったり、自身のファイルをビデオ信号に変換してプロジェクタ１に送信する。
【００１５】
プロジェクタ１は、表示領域４と、電源のオン・オフを押下により切り替える電源スイッチ５と、収納部６とを備える。表示領域４は、ＰＣ２から送信されたビデオ信号を出力する。また、収納部６は、その筐体内部にＰＣ２及びＡＰ３を収納する。これにより、電子会議システム１００全体の大きさをコンパクトなものとすることができる。
【００１６】
図２は、図１の電子会議システム１００の概略構成を示すブロック図である。
【００１７】
図２において、電子会議システム１００は、プロジェクタ１からＡＰ３に電源オン要求、あるいは電源オフ要求の信号を送信する有線回線７と、ＡＰ３とＰＣ２との間でＬＡＮ信号によりデータを送受信する有線回線８と、ＰＣ２からプロジェクタ１に出力されるビデオ信号を送信する有線回線９と、基幹ＬＡＮ１０に接続する不図示のサーバコンピュータとＡＰ３との間でＬＡＮ信号によりデータを送受信する有線回線１１とを備える。
【００１８】
有線回線７で送信される信号は、具体的にはＨＩＧＨレベルの時に電源オン要求、ＬＯＷレベルの時に電源オフ要求となる。ここで、この信号としては、パルス列の種別で電源オン要求と電源オフ要求とを区別するものであってもよい。
【００１９】
有線回線１１は、具体的には基幹ＬＡＮ１０に接続するサーバコンピュータからのファイルをＬＡＮデータとしてＡＰ３を経由してＰＣ２に送信するものである。
【００２０】
図３は、図２におけるプロジェクタ１の概略構成を示すブロック図である。
【００２１】
図３において、プロジェクタ１は、電源部１２と、ワンチップマイコンで構成されるＣＰＵ１３と、システムバス１３７を介してＣＰＵ１３と接続すると共に有線回線９を介してＰＣ２からのビデオ信号を受信し、ＣＰＵ１３の制御下で動作する表示制御部１４（表示手段）とを備える。
【００２２】
ＣＰＵ１３は、２つの端子を有する出力ポート１３１と、入力ポート１３３と、プログラムや各種データ、エラーメッセージ等を記憶したＲＯＭ１３４と、ＲＯＭ１３４に記憶されているプログラムをロードして実行したり各種ワークとして使用するＲＡＭ１３５と、タイマ１３６とを備える。
【００２３】
電源部１２は、スイッチ１２２及び制御端子１２５を有するスイッチング電源１２１と、外部からプロジェクタ１にＡＣ電力が供給されると自動的にスタンバイ電源をＣＰＵ１３に供給する有線回線１２３と、メイン電源を表示制御部１４等プロジェクタ１の各部に供給する有線回線１２４とを備える。
【００２４】
ここでスタンバイ電源とは、プロジェクタ１全体が起動前であっても、外部のＡＣ電源とプロジェクタ１とが接続している場合、ＣＰＵ１３に供給される電源である。また、メイン電源は、電源スイッチ５の押下をＣＰＵ１３（スイッチ押下検出手段）が検出したときに表示制御部１４を含む不図示の各部に供給される電源である。
【００２５】
制御端子１２５は、有線回線１２５ａを介して送信されるＣＰＵ１３の出力ポート１３１の一の端子からの制御信号によってスイッチ１２２を制御してメイン電源のオン・オフを制御する。
【００２６】
出力ポート１３１（第１起動指示送付手段）の他の端子は、有線回線７を介してＡＰ３に接続し、ＣＰＵ１３の制御下で電源オン要求、あるいは電源オフ要求の信号を送信する。
【００２７】
入力ポート１３３は、電源スイッチ５に接続し、電源スイッチ５の押下状況をポーリングする。
【００２８】
図４は、図２におけるＡＰ３の概略構成を示すブロック図である。
【００２９】
図４において、ＡＰ３は、ＡＰ３の全体制御を司るＣＰＵ３０と、プログラムや各種データを記憶したＲＯＭ３１と、ＲＯＭ３１中のプログラムをロードして実行したり各種ワークとして使用するＲＡＭ３２と、プロジェクタ１からのオン・オフ要求信号を有線回線７を介して受信する入力ポート３３と、ＰＣ２との間でＬＡＮ信号を有線回線８を介して送受信する有線ＬＡＮ制御部３４（第２起動指示送付手段）と、有線回線１１を介してサーバコンピュータとの間でＬＡＮ信号を送受信する有線ＬＡＮ制御部３５と、無線で上述のクライアント機器と接続する無線ＬＡＮ制御部３６とを備え、これらはシステムバス３７で互いに接続されている。
【００３０】
ＣＰＵ３０は、システムバス３７を介して入力ポート３３に受信したプロジェクタ１からのオン・オフ要求信号を読み出せるようになっている。また、ＣＰＵ３０は、有線ＬＡＮ制御部３４に接続されたＰＣ２、有線ＬＡＮ制御部３５に接続された基幹ＬＡＮ１０上の上述のサーバコンピュータ、及び無線ＬＡＮ制御部３６に接続された上述のクライアント機器夫々の間のデータ転送を制御する。
【００３１】
また、外部のＡＣ電源（不図示）からＡＰ３に電源が供給されると、ＣＰＵ３０、ＲＯＭ３１、ＲＡＭ３２、及び入力ポート３３のみに電源が供給され、これらはアクティブとなる。入力ポート３３でプロジェクタ１からのオン要求信号を受信したときに、ＡＰ３の各部に電源が供給され、ＡＰ３全体が起動する。
【００３２】
図５は、図２におけるＰＣ２の概略構成を示すブロック図である。
【００３３】
図５において、ＰＣ２は、ＰＣ２の全体制御を司るＣＰＵ２０と、後述する図１１の遮断ソフトウェア等のプログラムをロードして実行したり、各種ワークとして使用するメモリ２３と、有線回線９を介してプロジェクタ１に接続する表示制御部２１と、ハードディスク、フロッピー（登録商標）ディスクなどの記憶装置２４と、キーボード、マウスなどの入力装置２２と、有線ＬＡＮ制御部２５とを備え、これらはシステムバス２６で互いに接続されている。
【００３４】
上記ソフトウェアは、ＣＰＵ２０に電源が供給され、アクティブとなると同時に動作を開始するオペレーションシステム（以下ＯＳ）の起動と同時に起動し、常駐するようになっている。
【００３５】
さらに、ＰＣ２は、ＯＲゲート素子２８を用いて、上記ＰＣ２の各構成要素の電源制御を行う電源部２７を備える。
【００３６】
電源部２７は、ＡＣ電力が電源部２７に供給されると有線ＬＡＮ制御部２５及びＯＲゲート素子２８にスタンバイ電源を供給する有線回線２７１と、ＰＣ２の各構成要素にメイン電源を供給する有線回線２７２と、メイン電源のオン・オフを制御する電源制御端子２７３とを備える。
【００３７】
有線ＬＡＮ制御部２５は、ＯＲゲート素子２８に電源制御を開始する旨の出力信号を有線回線２５１を介して送信し、また、有線回線８と接続してＡＰ３との間でＬＡＮ信号を送受信する。
【００３８】
ＯＲゲート素子２８は、その入力部が有線ＬＡＮ制御部２５に接続する有線回線２５１と、システムバス２６を介して不図示のシステム制御部からの電源制御を開始・終了する旨の出力信号をＯＲゲート素子２８に送信する有線回線２６１と接続し、その出力側が電源部２７の電源制御端子２７３と接続する有線回線２７４と接続する。尚、このとき、ＣＰＵ２０は電源が遮断されているので開始信号は出力できない。
【００３９】
表示制御部２１は、有線回線９と接続してＰＣ２にビデオ信号を送信する。
【００４０】
以上の構成により、有線ＬＡＮ制御部２５は、ＬＡＮ信号で起動パケットを有線回線８を介して受け取ると、有線回線２５１、ＯＲゲート素子２８を経由して電源制御を開始する旨の出力信号をメイン電源に送信し、有線回線２７２を介してメイン電源からＰＣ２の各構成要素への電源の供給を開始する。また、ＣＰＵ２０は、有線ＬＡＮ制御部２５経由でＬＡＮ信号の遮断パケットを有線回線８を介して受け取ると、不図示のシステム制御部、有線回線２６１、ＯＲゲート素子２８を経由して電源制御を終了する旨の出力信号をメイン電源に送信し、有線回線２７２を介したメイン電源からＰＣ２の各構成要素への電源の供給を遮断することが可能となる。
【００４１】
以下、上記構成から成る図２の電子会議システム１００の電源制御処理について説明する。
【００４２】
まず、図２の電子会議システム１００全体の起動処理について説明する。
【００４３】
本処理においては、まずプロジェクタ１が電源の投入により起動し（図６）、この電源投入と連動してＡＰ３、ＰＣ２の順に電源の投入が行われる（図７，図８）。
【００４４】
図６は、図３のプロジェクタ１における電子会議システム１００の起動処理のフローチャートである。
【００４５】
ＡＣ電源をプロジェクタ１に供給した直後は、スイッチ１２２はオフとなっている。
【００４６】
図６において、プロジェクタ１にＡＣパワーが供給されると（ステップＳ１００でＹＥＳ）、有線回線１２３を介してＣＰＵ１３にスタンバイ電源が供給され（ステップＳ１０１）、ＣＰＵ１３がアクティブとなる（動作を開始する）（ステップＳ１０２）。
【００４７】
動作を開始したＣＰＵ１３は、入力ポート１３３を介して電源スイッチ５の状態を読出し、その状態から電源スイッチ５が押下されたと判断したときに（ステップＳ１０３でＹＥＳ）、出力ポート１３１の一の端子から電源部１２のスイッチ１２２をオンにする制御信号１２５ａを制御端子１２５に送信すると、有線回線１２４を介してメイン電源をプロジェクタ１の各部に供給を開始し、プロジェクタ１全体を起動させる（ステップＳ１０４）。
【００４８】
次に、ＣＰＵ１３は、出力ポート１３１の一の端子から有線回線７を介してＡＰ３にオン要求信号を送信し（ステップＳ１０５）（第１起動指示送付手段）、表示制御部１４でＰＣ２から送信されたビデオ信号を有線回線９を介して受信したか否かを判別する（ステップＳ１０６）。
【００４９】
ステップＳ１０６の判別の結果、最初はビデオ信号は受信されないので（ステップＳ１０６でＮＯ）、タイムアウト時間（例えば２分）内は（ステップＳ１０７でＮＯ）、ステップＳ１０６の判別処理に戻り、タイムアウト時間までに（ステップＳ１０７でＮＯ）、ビデオ信号が受信されたときは（ステップＳ１０６でＹＥＳ）、ＡＰ３及びＰＣ２が正常に動作を開始したと判断して、直ちに通常の処理を開始し（ステップＳ１１４）、本処理を終了する。ここで、通常の処理とは、ＰＣ２からのビデオ信号を表示制御部１４で表示領域４に出力する処理をいう。
【００５０】
ビデオ信号が受信されないまま（ステップＳ１０６でＮＯ）、タイムアウト時間が過ぎたときは（ステップＳ１０７でＹＥＳ）、ＣＰＵ１３は、何らかの原因でＡＰ３又はＰＣ２が正常に動作していないと判断し、表示制御部１４で表示領域４に、例えば『ビデオ信号が来ていません。パーソナルコンピュータ、あるいはアクセスポイントをご確認下さい。』といったエラーメッセージを表示する（ステップＳ１０８）。これにより、ユーザにＡＰ３又はＰＣ２が正常に起動していないことを通知することができる。
【００５１】
次に、再度ビデオ信号を有線回線９を介して受信したか否かの判別を（ステップＳ１０９）、電源スイッチ５が押下されるまで（ステップＳ１１１でＮＯ）、繰り返し行う。ユーザがステップＳ１０８で表示領域４に表示されたエラーメッセージを見た後に、そのエラーの原因を取り除いた場合、ステップＳ１０９の判別の際にビデオ信号が受信される。この場合、エラー表示をクリアし（ステップＳ１１０）、通常の処理を開始して（ステップＳ１１４）、本処理を終了する。
【００５２】
ビデオ信号が受信されないまま（ステップＳ１０９でＮＯ）、電源スイッチ５が押下されたときは（ステップＳ１１１でＹＥＳ）、出力ポート１３１の一の端子からオフ要求信号を有線回線７を介してＡＰ３に送信し（ステップＳ１１２）、有線回線１２４を介したメイン電源を遮断した後に（ステップＳ１１３）、ステップＳ１０３へ戻る。このとき、ステップＳ１１３によりメイン電源は遮断されているので、その後、ステップＳ１０３で電源スイッチ５が押下されるまで、ＣＰＵ１３のみ動作し、ディプレイ１全体の起動はしていないという状態になる。
【００５３】
図７は、図４のＡＰ３における電子会議システム１００の起動処理のフローチャートである。
【００５４】
図７において、ＡＰ３にＡＣパワーが供給されると（ステップＳ３００でＹＥＳ）、ＣＰＵ３０、ＲＯＭ３１、ＲＡＭ３２、及び入力ポート３３のみに電源が供給され、これらはアクティブとなる（ステップＳ３０１）。即ち、ＡＰ３は、ＡＣパワーが供給された直後は、電源オフ状態であり、ＣＰＵ３０は低消費電力モードで動作する。この低消費電力モード動作については既知の技術なのでここでの説明は省略する。
【００５５】
次に、ＣＰＵ３０は、図６のステップＳ１０５でプロジェクタ１から送信されるオン要求信号を有線回線７を介して入力ポート３３が受信しているか否か判別する（ステップＳ３０２）。
【００５６】
ステップＳ３０２の判別の結果、タイムアウト時間（例えば１００ｍｓ）後に（ステップＳ３０３でＹＥＳ）、オン要求信号が受信されるまで（ステップＳ３０２でＹＥＳ）、繰り返しステップＳ３０２の処理を行う。すなわち、１００ｍｓ毎にステップＳ３０２の判別を行う。
【００５７】
その後、オン要求信号が受信されると（ステップＳ３０２でＹＥＳ）、有線ＬＡＮ制御部３４，３５、無線ＬＡＮ制御部３６等、ＡＰ３の各部に電源を供給し、これらを初期化後にアクティブにする、即ちＡＰ３全体を起動し（ステップＳ３０４）、ステップＳ３０５へ進む。ＣＰＵ３０は、ＡＰ３の各部に電源を供給するまでは（ステップＳ３０４）、オン要求信号が有線回線７を介して入力ポート３３に受信されたか否かを１００ｍｓ毎に判別するだけなので（ステップＳ３０２，Ｓ３０３）、低消費電力モードで充分動作を行うことができる。
【００５８】
ステップＳ３０５において、ＣＰＵ３０は、有線ＬＡＮ制御部３４によりＬＡＮ信号でＷａｋｅ  ｏｎ  ＬＡＮ対応の起動パケットをＰＣ２に有線回線８を介して送信後（第２起動指示送付手段）、通常の処理を開始し（ステップＳ３０６）、本処理を終了する。ここで、通常の処理とは、クライアント機器とは無線接続、ＰＣ２および基幹ＬＡＮ１０とは有線接続をして、それぞれの間のデータ転送を司る処理をいう。
【００５９】
図８は、図５のＰＣ２における電子会議システム１００の起動処理のフローチャートである。
【００６０】
図８において、ＰＣ２にＡＣパワーが供給されると（ステップＳ２００でＹＥＳ）、有線回線２７１を介してスタンバイ電源の有線ＬＡＮ制御部２５とＯＲゲート素子２８への供給が開始し（ステップＳ２０１）、有線ＬＡＮ制御部２５とＯＲゲート素子２８がアクティブになる（動作を開始する）（ステップＳ２０２）。
【００６１】
その後、動作を開始した有線ＬＡＮ制御部２５が、図７のステップＳ３０５でＡＰ３から送信されるＷａｋｅ  ｏｎ  ＬＡＮ対応の起動パケットを受信したか否かを判別する（ステップＳ２０３）。
【００６２】
その後、起動パケットを受信すると（ステップＳ２０３でＹＥＳ）、電源制御を開始する旨の出力信号を有線回線２５１、ＯＲゲート素子２８を経由して電源部２７に送信し、有線回線２７２を介してメイン電源の供給を開始してＰＣ２を起動した後（ステップＳ２０５）、通常の処理を開始し（ステップＳ２０６）、本処理を終了する。ここで、通常の処理とは、ＡＰ３経由で無線クライアント機器の操作を受け、やはりＡＰ３経由で基幹ＬＡＮ１０に接続されたサーバコンピュータ（不図示）とファイルタの送受信を行ったり、自身のファイルをビデオ信号に変換してプロジェクタ１に送信したりする処理をいう。
【００６３】
図６〜図８の電子会議システム１００の起動処理によれば、プロジェクタ１全体の起動がされていない状態のときに、プロジェクタ１の電源スイッチ５の押下が有ると（ステップＳ１０３でＹＥＳ）、プロジェクタ１はその全体を起動して（ステップＳ１０４）、ＡＰ３へオン要求信号を送信し（ステップＳ１０５）、この信号を受信したＡＰ３はその全体を起動して（ステップＳ３０４）、ＰＣ２へ起動パケットを送信し（ステップＳ３０５）、この起動パケットを受信したＰＣ２はその全体を起動するので（ステップＳ２０５）、ユーザの１操作でプロジェクタ１、ＡＰ３、ＰＣ２の各電源の起動を連動させることができる。
【００６４】
次に、図２の電子会議システム１００全体の遮断処理について説明する。
【００６５】
本処理においては、まずプロジェクタ１の電源スイッチ５の再押下により電源を遮断し（図９）、この電源スイッチ５の再押下と連動してＡＰ３、ＰＣ２の順に電源の遮断が行われる（図１０，図１１）。
【００６６】
図９は、図３のプロジェクタ１における電子会議システム１００の遮断処理のフローチャートである。
【００６７】
尚、この処理は、図６のプロジェクタ１における電子会議システム１００の起動処理において通常の処理が行われた後の処理である。
【００６８】
図９において、まず、ＣＰＵ１３は、入力ポート１３３を介して電源スイッチ５の状態を読出し、その状態から電源スイッチ５が押下されたと判断したときに（ステップＳ１５０でＹＥＳ）、ＡＰ３に対し出力ポート１３１の一の端子から有線回線７を介してオフ要求信号を送信する（ステップＳ１５１）。  その後、表示制御部１４でＰＣ２から送信されているビデオ信号の受信がなくなったか否かを判別する（ステップＳ１５２）。
【００６９】
ステップＳ１５２の判別の結果、最初はビデオ信号の受信はなくならないので（ステップＳ１５２でＹＥＳ）、タイムアウト時間（例えば２分）内は（ステップＳ１５３でＮＯ）、ステップＳ１５２の判別処理に戻り、タイムアウト時間までに（ステップＳ１５３でＮＯ）、ビデオ信号の受信がなくなったときは（ステップＳ１５２でＮＯ）、ＡＰ３及びＰＣ２が正常に終了したと判断して、そのままプロジェクタ１の通常の終了処理を行い（ステップＳ１５６）、本処理を終了する。ここで、通常の終了処理とは、有線回線１２４を介したメイン電源を遮断し、ステップＳ１０３へ戻る処理をいう。
【００７０】
ビデオ信号の受信がなくならないまま（ステップＳ１５２でＹＥＳ）、タイムアウト時間が過ぎたときは（ステップＳ１５３でＹＥＳ）、ＣＰＵ１３は、何らかの原因でＡＰ３又はＰＣ２が正常に終了していないと判断し、表示制御部１４で表示領域４に、例えば『パーソナルコンピュータが終了していません。パーソナルコンピュータ、あるいはアクセスポイントをご確認下さい。』といったエラーメッセージを表示する（ステップＳ１５４）。これにより、ユーザにＡＰ３又はＰＣ２が正常に終了していないことを通知することができる。
【００７１】
その後、ビデオ信号の受信がなくなったか否かの判別をビデオ信号の受信がなくなるまで（ステップＳ１５５でＮＯ）、繰り返し行う。ユーザがステップＳ１５４で表示領域４に表示されたエラーメッセージを見てそのエラーの原因を取り除いた場合、ステップＳ１５５の判別の際にはビデオ信号の受信がなくなる。
【００７２】
この場合、エラー表示をクリアし（ステップＳ１５７）、プロジェクタ１の通常の終了処理を行い（ステップＳ１５６）、本処理を終了する。
【００７３】
図１０は、図４のＡＰ３における電子会議システム１００の遮断処理のフローチャートである。
【００７４】
尚、この処理は、図７のＡＰ３における電子会議システム１００の起動処理において通常の処理が行われた後の処理である。
【００７５】
図１０において、ＣＰＵ３０は、図７で通常の処理を行っている最中に（ステップＳ３０６）、図６のステップＳ１１２又は図９のステップＳ１５１でプロジェクタ１からＡＰ３に送信されたオフ要求信号を有線回線７を介して入力ポート３３が受信しているときに（ステップＳ３５０でＹＥＳ）、有線ＬＡＮ制御部３４によりＰＣ２に予め定めた遮断パケットを送り（ステップＳ３５１）、ＡＰ３の通常の終了処理を行い（ステップＳ３５２）、本処理を終了する。ここで、通常の終了処理とは、有線ＬＡＮ制御部３４，３５、無線ＬＡＮ制御部３６等、ＡＰ３の各部への電源の供給を遮断することにより、これら各部を非アクティブ化した後、図７のステップＳ３０２へ戻る処理をいう。
【００７６】
図１１は、図５のＰＣ２における電子会議システム１００の遮断処理のフローチャートである。
【００７７】
尚、この処理は、図８のＰＣ２における電子会議システム１００の起動処理において通常の処理が行われた後の処理である。
【００７８】
図１１において、ＣＰＵ２０は、図８で通常の処理を行っている最中に（ステップＳ２０６）、図１０のステップＳ３５１でＡＰ３からＰＣ２に送信される遮断パケットを受信しているときに（ステップＳ２５０でＹＥＳ）、予めＰＣ２に常駐させてある遮断ソフトウェアで通常の終了処理を行う（ステップＳ２５１）。ここで、通常の終了処理とは、プロジェクタ１へのビデオ信号の送信など動作中の処理があればそれを終了し、ＯＳ自体の終了を行い、有線回線２６１、ＯＲゲート素子２８を経由して電源制御を終了する旨の出力信号を電源部２７に送信し、有線回線２７２を介したメイン電源のＰＣ２の各構成要素への供給を遮断し、図８のステップＳ２０３に戻る処理をいう。
【００７９】
図９〜図１１の電子会議システム１００の遮断処理によれば、通常処理中にプロジェクタ１の電源スイッチ５の押下が有ると（ステップＳ１５０でＹＥＳ）、プロジェクタ１はＡＰ３へオフ要求信号を送信し（ステップＳ１５１）、この信号を受信したＡＰ３はＰＣ２へ遮断パケットを送信後（ステップＳ３５１）、低消費電力モードとなり（ステップＳ３５２）、この遮断パケットを受信したＰＣ２はプロジェクタ１へのビデオ信号の送信を終了後、スタンバイ電源により有線ＬＡＮ制御部２５とＯＲゲート素子２８のみをアクティブとし（ステップＳ２５１）、プロジェクタ１はＰＣ２からのビデオ信号の受信がなくなったときに（ステップＳ１５２でＮＯ，ステップＳ１５５でＮＯ）、メイン電源を遮断するので（ステップＳ１５６）、ユーザの１操作でプロジェクタ１、ＡＰ３、ＰＣ２の各電源の遮断を連動させることができる。
【００８０】
このように、プロジェクタ１に電源スイッチ５を設け、プロジェクタ１からＡＰ３に対してはオン・オフ要求信号を送信し、ＡＰ３からＰＣ２に対してはＬＡＮ上で起動・遮断パケットを送信するように構成を採ったので、電源スイッチ５に対してプロジェクタ１、ＡＰ３、ＰＣ２の電源を連動させる電子会議システム１００が実現可能となり、プロジェクタ１の筐体内部にＰＣ２、ＡＰ３が配置されている場合でも、電源制御が連動している電子会議システム１００においては、プロジェクタ１内部にアクセスする必要を無くすことができ、その結果、操作性を落とすことなく本システム全体の大きさをコンパクトにできる。
【００８１】
また、起動時にはＰＣ２からプロジェクタ１へのビデオ信号が受信されたことを確認し、遮断時にはＰＣ２からプロジェクタ１へのビデオ信号の受信がなくなったことを確認することで、正常な電源連動が確認出来る。逆に異常状態も検出できるので、異常時にプロジェクタ１にエラーメッセージを表示することが可能となり、ユーザにエラーの発生を知らしめる事が可能な電子会議システム１００を実現できる。
【００８２】
さらに、ＰＣ２に対してＬＡＮ上で起動・遮断パケットを送信する要素として、別のＰＣを使用せずにシステム構成上必須なＡＰ３を使用するため、電子会議システム１００の肥大化を防ぐことができる。
【００８３】
本実施の形態では、プロジェクタ１からＡＰ３に送信されるオン・オフ要求信号は有線回線７を介して送信されていたが、有線回線７ではなく、ＢＬＵＥＴＯＯＴＨ、８０２．１１などによる無線回線で送信してもよい。
【００８４】
以下、図２の電子会議システム１００の変形例について図面を用いて説明する。
【００８５】
本変形例は、上述の図２の電子会議システム１００と基本的に同じであり、相違点はＢＬＵＥＴＯＯＴＨ（以下「ＢＴ」という。）を用いている点である。
【００８６】
下記説明において、同一要素には同一の符号を付し、重複した説明を省略する。
【００８７】
図１２は、図２の電子会議システム１００の変形例に係るプロジェクタ１の概略構成を示すブロック図である。
【００８８】
図１２において、ＣＰＵ１３は、ＢＴ制御部１５を介して無線回線１５１でＡＰ３のＢＴ制御部３８と通信を行うシリアルポート１３８をさらに備える。
【００８９】
図１３は、図２の電子会議システム１００の変形例に係るＡＰ３の概略構成を示すブロック図である。
【００９０】
図１３において、ＡＰ３は、ＣＰＵ３０とシステムバス３７を介して接続されている上述のＢＴ制御部３８をさらに備える。
【００９１】
以下、上記構成から成る図１２の電子会議システム１００の動作処理について説明する。
【００９２】
まず、図１２の電子会議システム１００全体の起動処理の変形例について説明する。
【００９３】
本処理においては、図６〜図８の処理と同様に、まず、プロジェクタ１が電源の投入により起動し（図１４）、この電源投入と連動してＡＰ３、ＰＣ２の順に電源の投入が行われるものであり（図１５）、基本的に上述の本発明の実施の形態に係る電子会議システム１００と同様の処理を行う。従って、下記説明において、同一ステップには同一の符号を付し、重複した説明を省略する。
【００９４】
図１４は、図３のプロジェクタ１における電子会議システム１００の起動処理の変形例のフローチャートである。
【００９５】
図１４において、まず、図６のステップＳ１０１〜Ｓ１０４の処理が行われると、変形例に係るプロジェクタ１の要素の一つであるＢＴ制御部１５にも有線回線１２４を介してメイン電源が供給され、動作を開始する。
【００９６】
次に、ＣＰＵ１３は、図６のステップＳ１０５の出力ポート１３１からのオン要求信号の送信ではなく、ＢＴ制御部１５で予め定めたオンコマンドのＢＴ信号を無線回線１５１を介してＡＰ３に送信し（ステップＳ４０１）、ビデオ信号の受信があって本処理が終了するまで、ステップＳ１０６〜Ｓ１１１までの処理を行う。
【００９７】
ＣＰＵ１３は、オンコマンドを送信した後、ビデオ信号の受信がないまま（ステップＳ１０６でＮＯ）、タイムアウト時間が経過したとき（ステップＳ１０７でＹＥＳ）、エラーメッセージを表示するが（ステップＳ１０８）、その後もビデオ信号が受信されないまま（ステップＳ１０９でＮＯ）、電源スイッチ５が押下されたときは（ステップＳ１１１でＹＥＳ）、ＢＴ制御部１５で予め定めたオフコマンドのＢＴ信号を無線回線１５１を介してＡＰ３に送信し（ステップＳ４０２）、有線回線１２４を介したメイン電源を遮断した後に（ステップＳ１１３）、ステップＳ１０３へ戻る。このとき、ステップＳ１１３により有線回線１２４を介したメイン電源は遮断されているので、その後、ステップＳ１０３で電源スイッチ５が押下されるまで、ＣＰＵ１３のみ動作し、ディプレイ１全体の起動はしていないという状態になる。従って、ＢＴ制御部１５も動作を停止する。
【００９８】
図１５は、図４のＡＰ３における電子会議システム１００の起動処理の変形例のフローチャートである。
【００９９】
図１５において、まず、ＡＰ３にＡＣパワーが供給されると（ステップＳ３００でＹＥＳ）、ＲＯＭ３１、ＲＡＭ３２、及び入力ポート３３だけでなく、ＢＴ制御部３８もアクティブとなる（ステップＳ５０１）。
【０１００】
次に、ＣＰＵ３０は、図７のステップＳ３０２のプロジェクタ１からのオン要求信号の受信の判別ではなく、図１４のステップＳ４０１でプロジェクタ１から送信されるオンコマンドを無線回線１５１を介してＢＴ制御部３８が受信しているか否か判別し（ステップＳ５０２）、オンコマンドの受信があったときは、図７のステップＳ３０４〜Ｓ３０６までの処理を行い、本処理を終了する。
【０１０１】
尚、ＰＣ２における電子会議システム１００の起動処理は、図８の処理と同一であるため説明を省略する。
【０１０２】
続いて、電子会議システム１００全体の遮断処理について説明する。
【０１０３】
本処理においては、まずプロジェクタ１の電源スイッチ５の再押下により電源を遮断し（図１６）、この電源スイッチ５の再押下と連動してＡＰ３、ＰＣ２の順に電源の遮断が行われる（図１７）。
【０１０４】
図１６は、図３のプロジェクタ１における電子会議システム１００の遮断処理の変形例のフローチャートである。
【０１０５】
図１６において、まず、図９のステップＳ１５０の処理が行われると、図９のステップＳ１５１の出力ポート１３１からのオフ要求信号の送信ではなく、ＢＴ制御部１５で予め定めたオフコマンドのＢＴ信号を無線回線１５１を介してＡＰ３に送信し（ステップＳ６０１）、ビデオ信号の受信がなくなり、本処理が終了するまで、ステップＳ１５２〜Ｓ１５７までの処理を行う。
【０１０６】
図１７は、図４のＡＰ３における電子会議システム１００の遮断処理の変形例のフローチャートである。
【０１０７】
図１７において、ＣＰＵ３０は、図７のステップＳ３０６で通常の処理を行っている最中に、図１０のステップＳ３５０のプロジェクタ１からのオフ要求信号の受信の判別ではなく、図１６のステップＳ６０１でプロジェクタ１から送信されるオフコマンドを無線回線１５１を介してＢＴ制御部３８が受信しているか否か判別し（ステップＳ７０１）、オフコマンドの受信があったときは、図９のステップＳ３５１〜Ｓ３５２までの処理を行い、本処理を終了する。
【０１０８】
尚、本変形例において、図５のＰＣ２における電子会議システム１００の遮断処理は、図１１の処理と同一であるため説明を省略する。
【０１０９】
本変形例に係る電子会議システム１００の電源制御処理によれば、プロジェクタ１からＡＰ３に、有線回線７を介してオン・オフ要求信号を送信する代わりに、無線回線１５１を介してＢＴ信号のオン・オフコマンドを送信するので、プロジェクタ１の筐体内部のレイアウトの自由度が増すことができる。
【０１１０】
さらに、プロジェクタ１からＡＰ３の間は、有線回線７を介してオン・オフ要求信号が送信される、又は、無線回線１５１を介してＢＴ信号のオン・オフコマンドが送信されるものとしたが、ＡＰ３の電源起動又は電源遮断を制御する信号をプロジェクタ１から送信できればこれに限定されるものでなく、例えば、シリアル接続、ＵＳＢ接続など他の有線接続手段や、８０２．１１など種々の無線手段を用いてもよい。
【０１１１】
さらに、上記プロジェクタ１やＰＣ２では、スタンバイ電源及びメイン電源は異なる有線回線を介して供給されるものの、単一の電源から出力されることとしたが、スタンバイ電源とメイン電源を異なる電源から出力するようにしてもよい。
【０１１２】
さらに、プロジェクタ１は、その筐体内部にＡＰ３とＰＣ２を配置するが、これに限定されるものではない。例えば、プロジェクタ１がフロントプロジェクタの場合、明らかにＡＰ３とＰＣ２をプロジェクタ１の筐体内部に配置することができないが、本発明を適用するのに何ら問題はない。
【０１１３】
本発明は、上述した実施の形態の機能を実現するソフトウェアのプログラム（図６〜図１１，図１４〜図１７のフローチャート）をＣＰＵ１３，２０，３０に供給し、ＣＰＵ１３，２０，３０が該供給されたプログラムを読出して実行することによって、達成することができる。
【０１１４】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【０１１５】
上記プログラムの形態は、オブジェクトコード、インタプリタにより実行されるプログラムコード、ＯＳ（オペレーティングシステム）に供給されるスクリプトデータ等の形態から成ってもよい。
【０１１６】
また、本発明は、上述した実施の形態の機能を実現するソフトウェアのプログラムを記憶した記憶媒体をＣＰＵ１３，２０，３０に供給し、そのＣＰＵ１３，２０，３０がプロジェクタ１，ＡＰ３，ＰＣ２内のＲＯＭに記憶されたプログラムを読出して実行することによっても、達成することができる。
【０１１７】
この場合、格納媒体から読出されたプログラムコード自体が上述した各実施の形態の機能を実現すると共に、そのプログラムコードを記憶したＲＯＭは本発明を構成する。
【０１１８】
本実施の形態に係るプログラムコードを記憶する記憶媒体は、ＲＯＭであったが、これに限定されるわけでなく、例えば、ＲＡＭ、ＮＶ−ＲＡＭ、フロッピー（登録商標）ディスク、ハードディスク、光ディスク、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【０１１９】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【０１２０】
本発明の実施態様の例を以下に列挙する。
【０１２１】
〔実施態様１〕  アクセスポイントにネットワークを介して接続するコンピュータと、電源のオン・オフを押下により切り替える電源スイッチ、当該電源スイッチの押下を検出するスイッチ押下検出手段及び前記コンピュータのビデオ信号を表示する表示手段を備えるディスプレイとからなる電子会議システムにおいて、前記ディスプレイは、前記電源スイッチの押下を検出したときに、前記アクセスポイントに接続し、当該接続したアクセスポイントに第１の起動指示を送付する第１起動指示送付手段とを備え、前記アクセスポイントは、前記第１の起動指示を受信したときに、前記ネットワークを介して前記コンピュータに接続し、当該接続したコンピュータに第２の起動指示を送付する第２起動指示送付手段を備えることを特徴とする電子会議システム。
【０１２２】
〔実施態様２〕  前記ディスプレイは、前記第１の起動指示の送付後、所定時間を計時する計時手段（１３６）と、前記コンピュータのビデオ信号を受信するビデオ信号受信手段（１４）と、前記受信されたビデオ信号を検出するビデオ信号検出手段（１３）と、前記計時された所定時間内に前記受信されたビデオ信号が検出されなかったとき、エラーメッセージを表示するエラーメッセージ表示手段（１３）とを更に備えることを特徴とする実施態様１記載の電子会議システム。
【０１２３】
これにより、ユーザにアクセスポイント又はコンピュータが正常に起動していないことを通知することができる。
【０１２４】
〔実施態様３〕  アクセスポイントにネットワークを介して接続するコンピュータと、電源のオン・オフを押下により切り替える電源スイッチ、当該電源スイッチの押下を検出するスイッチ押下検出手段及び前記コンピュータのビデオ信号を表示する表示手段を備えるディスプレイとからなる電子会議システムにおいて、前記ディスプレイは、前記電源スイッチの押下を検出したときに、前記アクセスポイントに接続し、当該接続したアクセスポイントに第１の遮断指示を送付する第１遮断指示送付手段（１３１）とを備え、前記アクセスポイントは、前記第１の遮断指示を受信したときに、前記ネットワークを介して前記コンピュータに接続し、当該接続したコンピュータに第２の遮断指示を送付する第２遮断指示送付手段（３４）を備えることを特徴とする電子会議システム。
【０１２５】
これにより、ユーザの１操作で、電子会議システムを構成するディスプレイ、アクセスポイント及びコンピュータの各電源の遮断を連動させることができる。
【０１２６】
〔実施態様４〕  前記ディスプレイは、前記第１の遮断指示の送付後、所定時間を計時する計時手段と、
前記コンピュータのビデオ信号を受信するビデオ信号受信手段と、前記受信されたビデオ信号を検出するビデオ信号検出手段と、前記計時された所定時間内に前記受信されたビデオ信号が検出されたとき、エラーメッセージを表示するエラーメッセージ表示手段を更に備えることを特徴とする実施態様３記載の電子会議システム。
【０１２７】
これにより、ユーザにアクセスポイント又はコンピュータが正常に終了していないことを通知することができる。
【０１２８】
〔実施態様５〕  前記ディスプレイはリアプロジェクタであり、前記アクセスポイント及び前記コンピュータが当該ディスプレイの筐体内部に配置されることを特徴とする実施態様１乃至４のいずれか１に記載の電子会議システム。
【０１２９】
これにより、電源制御が連動している本システムにおいては、ディスプレイ内部にアクセスする必要を無くすことができ、その結果、操作性を落とすことなく電子会議システム全体の大きさをコンパクトにできる。
【０１３０】
〔実施態様６〕  前記ディスプレイと前記アクセスポイントの間を無線により接続する接続手段を備えることを特徴とする実施態様５記載の電子会議システム。
【０１３１】
これにより、ディスプレイの筐体内部のレイアウトの自由度が増すことができる。
【０１３２】
〔実施態様７〕  アクセスポイントにネットワークを介して接続するコンピュータと、電源のオン・オフを押下により切り替える電源スイッチ、当該電源スイッチの押下を検出するスイッチ押下検出手段及び前記コンピュータのビデオ信号を表示する表示手段を備えるディスプレイとからなる電子会議システムの電源制御方法において、前記ディスプレイにより、前記電源スイッチの押下を検出したときに、前記アクセスポイントに接続し、当該接続したアクセスポイントに第１の起動指示を送付する第１起動指示送付ステップ（Ｓ１０５）と、前記アクセスポイントで前記第１の起動指示を受信したときに、前記アクセスポイントにより前記ネットワークを介して前記コンピュータに接続し、当該接続したコンピュータに第２の起動指示を送付する第２起動指示送付ステップ（Ｓ３０５）とを備えることを特徴とする電源制御方法。
【０１３３】
これにより、ユーザの１操作で、電子会議システムを構成するディスプレイ、アクセスポイント及びコンピュータの各電源の起動を連動させることができる。
【０１３４】
〔実施態様８〕  アクセスポイントにネットワークを介して接続するコンピュータと、電源のオン・オフを押下により切り替える電源スイッチ、当該電源スイッチの押下を検出するスイッチ押下検出手段及び前記コンピュータのビデオ信号を表示する表示手段を備えるディスプレイとからなる電子会議システムの電源制御方法において、前記ディスプレイにより、前記電源スイッチの押下を検出したときに、前記アクセスポイントに接続し、当該接続したアクセスポイントに第１の遮断指示を送付する第１遮断指示送付ステップ（Ｓ１５１）と、前記アクセスポイントで前記第１の遮断指示を受信したときに、前記アクセスポイントにより前記ネットワークを介して前記コンピュータに接続し、当該接続したコンピュータに第２の遮断指示を送付する第２遮断指示送付ステップ（Ｓ３５１）とを備えることを特徴とする電源制御方法。
【０１３５】
これにより、ユーザの１操作で、電子会議システムを構成するディスプレイ、アクセスポイント及びコンピュータの各電源の遮断を連動させることができる。
【０１３６】
〔実施態様９〕  アクセスポイントにネットワークを介して接続するコンピュータと、電源のオン・オフを押下により切り替える電源スイッチ、当該電源スイッチの押下を検出するスイッチ押下検出ステップ及び前記コンピュータのビデオ信号を表示する表示ステップを備えるディスプレイとからなる電子会議システムの電源制御方法をコンピュータに実行させるプログラムにおいて、前記プログラムは、前記ディスプレイにより、前記電源スイッチの押下を検出したときに、前記アクセスポイントに接続し、当該接続したアクセスポイントに第１の起動指示を送付する第１起動指示送付ステップと、前記アクセスポイントにより、前記第１の起動指示を受信したときに、前記ネットワークを介して前記コンピュータに接続し、当該接続したコンピュータに第２の起動指示を送付する第２起動指示送付ステップとを備えることを特徴とするプログラム。
【０１３７】
これにより、ユーザの１操作で、電子会議システムを構成するディスプレイ、アクセスポイント及びコンピュータの各電源の起動を連動させることができる。
【０１３８】
〔実施態様１０〕  アクセスポイントにネットワークを介して接続するコンピュータと、電源のオン・オフを押下により切り替える電源スイッチ、当該電源スイッチの押下を検出するスイッチ押下検出手段及び前記コンピュータのビデオ信号を表示する表示手段を備えるディスプレイとからなる電子会議システムの電源制御方法をコンピュータに実行させるプログラムにおいて、前記プログラムは、前記ディスプレイにより、前記電源スイッチの押下を検出したときに、前記アクセスポイントに接続し、当該接続したアクセスポイントに第１の遮断指示を送付する第１遮断指示送付ステップと、前記アクセスポイントにより、前記第１の遮断指示を受信したときに、前記ネットワークを介して前記コンピュータに接続し、当該接続したコンピュータに第２の遮断指示を送付する第２遮断指示送付ステップとを備えることを特徴とするプログラム。
【０１３９】
これにより、ユーザの１操作で、電子会議システムを構成するディスプレイ、アクセスポイント及びコンピュータの各電源の遮断を連動させることができる。
【０１４０】
〔実施態様１１〕  実施態様９又は１０記載のプログラムを格納するコンピュータ読取り可能な記憶媒体
【０１４１】
【発明の効果】
以上詳細に説明したように、請求項１記載の電子会議システムによれば、ディスプレイは、ディスプレイの電源スイッチの押下が検出されたときに、アクセスポイントに接続して第１の起動指示を送付し、アクセスポイントは、この第１の起動指示を受信したときに、ネットワークを介してコンピュータに接続して第２の起動指示を送付するので、ユーザの１操作で、電子会議システムを構成するディスプレイ、アクセスポイント及びコンピュータの各電源の起動を連動させることができる。
【図面の簡単な説明】
【図１】本発明を実施の形態に係る電子会議システムの外観斜視図である。
【図２】図１の電子会議システム１００の概略構成を示すブロック図である。
【図３】図２におけるプロジェクタ１の概略構成を示すブロック図である。
【図４】図２におけるＡＰ３の概略構成を示すブロック図である。
【図５】図２におけるＰＣ２の概略構成を示すブロック図である。
【図６】図３のプロジェクタ１における電子会議システム１００の起動処理のフローチャートである。
【図７】図４のＡＰ３における電子会議システム１００の起動処理のフローチャートである。
【図８】図５のＰＣ２における電子会議システム１００の起動処理のフローチャートである。
【図９】図３のプロジェクタ１における電子会議システム１００の遮断処理のフローチャートである。
【図１０】図４のＡＰ３における電子会議システム１００の遮断処理のフローチャートである。
【図１１】図５のＰＣ２における電子会議システム１００の遮断処理のフローチャートである。
【図１２】図２の電子会議システム１００の変形例に係るプロジェクタ１の概略構成を示すブロック図である。
【図１３】図２の電子会議システム１００の変形例に係るＡＰ３の概略構成を示すブロック図である。
【図１４】図３のプロジェクタ１における電子会議システム１００の起動処理の変形例のフローチャートである。
【図１５】図４のＡＰ３における電子会議システム１００の起動処理の変形例のフローチャートである。
【図１６】図３のプロジェクタ１における電子会議システム１００の遮断処理の変形例のフローチャートである。
【図１７】図４のＡＰ３における電子会議システム１００の遮断処理の変形例のフローチャートである。
【符号の説明】
１  プロジェクタ
２  パーソナルコンピュータ
３  アクセスポイント
４  表示領域
５  電源スイッチ
１０  基幹ＬＡＮ
１２，２７  電源部
１３，２０，３０  ＣＰＵ
１４，２１  表示制御部
２５，３４，３５  有線ＬＡＮ制御部
１５，３８  ＢＴ制御部
【図１】
2004282475.tif 000003
【図２】
2004282475.tif 000004
【図３】
2004282475.tif 000005
【図４】
2004282475.tif 000006
【図５】
2004282475.tif 000007
【図６】
2004282475.tif 000008
【図７】
2004282475.tif 000009
【図８】
2004282475.tif 000010
【図９】
2004282475.tif 000011
【図１０】
2004282475.tif 000012
【図１１】
2004282475.tif 000013
【図１２】
2004282475.tif 000014
【図１３】
2004282475.tif 000015
【図１４】
2004282475.tif 000016
【図１５】
2004282475.tif 000017
【図１６】
2004282475.tif 000018
【図１７】
2004282475.tif 000019